(57)【要約】【課題】複数の種類の装飾部材から選択された一の装飾部材が筐体の外面の少なくとも一部に取り付けられるようになっているため、筐体の外面の色やデザインを容易に変更することができる有価媒体処理装置を提供する。【解決手段】有価媒体処理装置１は、筐体１０と、筐体１０の内部で有価媒体の処理を行う処理部と、筐体１０の外面の少なくとも一部に取り付け可能となっている装飾部材２０とを備えており、複数の種類の装飾部材２０から選択された一の装飾部材２０が、筐体１０の外面の少なくとも一部に取り付けられている。【選択図】図１
2018010358.tif 000002
【特許請求の範囲】
【請求項１】
筐体と、
前記筐体の内部で有価媒体の処理を行う処理部と、
前記筐体の外面の少なくとも一部に取り付け可能となっている装飾部材と、
を備え、
複数の種類の前記装飾部材から選択された前記装飾部材が前記筐体の外面の少なくとも一部に取り付けられている、有価媒体処理装置。
【請求項２】
前記装飾部材は、前記筐体の前面または上面の少なくとも一方に取り付け可能となっている、請求項１記載の有価媒体処理装置。
【請求項３】
前記筐体に、前記装飾部材が着脱自在に取り付けられる被取付部が設けられている、請求項１または２記載の有価媒体処理装置。
【請求項４】
前記装飾部材を前記被取付部にロックするロック部が設けられている、請求項３記載の有価媒体処理装置。
【請求項５】
前記筐体は、本体部分の第１筐体部分と、前記本体部分から引き出し可能となっており前記処理部が設けられている引出部の第２筐体部分とを含み、前記装飾部材は前記第２筐体部分に取り付け可能となっている、請求項１乃至４のいずれか一項に記載の有価媒体処理装置。
【請求項６】
前記装飾部材において、前記筐体の外面に設けられた有価媒体の投入口および投出口のうち少なくとも一方に対応する位置に切り欠きまたは開口が設けられている、請求項１乃至５のいずれか一項に記載の有価媒体処理装置。
【請求項７】
前記装飾部材は、樹脂、金属、ゴムのうちいずれかの材料から構成される、請求項１乃至６のいずれか一項に記載の有価媒体処理装置。
【請求項８】
前記装飾部材は、可撓性を有する材料から構成される、請求項１乃至７のいずれか一項に記載の有価媒体処理装置。
【請求項９】
前記有価媒体処理装置は、紙幣の処理を行う紙幣処理ユニットおよび硬貨の処理を行う硬貨処理ユニットを有しており、
前記装飾部材は前記紙幣処理ユニットの筐体および前記硬貨処理ユニットの筐体の各々に取り付け可能となっている、請求項１乃至８のいずれか一項に記載の有価媒体処理装置。
【発明の詳細な説明】
【技術分野】
【０００１】
本発明は、貨幣等の有価媒体の処理を行う有価媒体処理装置に関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。このような貨幣釣銭機としては、例えば特許文献１等に開示されるものが従来から知られている。
【先行技術文献】
【特許文献】
【０００３】
【特許文献１】特開２０１５−０９２３２６号公報
【発明の概要】
【発明が解決しようとする課題】
【０００４】
このような貨幣釣銭機が設置される店舗において、貨幣釣銭機の筐体の前面や上面の色を、例えば店舗の外観の色や店舗のブランドに係る色に合わせたいという要望があった。しかしながら、従来の貨幣釣銭機では、筐体の前面や上面の色やデザインは予め決められているため、貨幣釣銭機が設置される店舗の要望に応じて当該貨幣釣銭機の筐体の前面や上面の色やデザインを変えることは容易ではないという問題があった。また、貨幣釣銭機以外の貨幣処理装置や、貨幣以外の有価媒体（例えば、小切手や商品券等）の処理を行う有価媒体処理装置についても、筐体の外面の色やデザインを容易に変えることができるようにしたいという要望があった。
【０００５】
本発明は、このような点を考慮してなされたものであり、複数の種類の装飾部材から選択された一の装飾部材が筐体の外面の少なくとも一部に取り付けられるようになっているため、筐体の外面の色やデザインを容易に変更することができる有価媒体処理装置を提供することを目的とする。
【課題を解決するための手段】
【０００６】
本発明の有価媒体処理装置は、筐体と、前記筐体の内部で有価媒体の処理を行う処理部と、前記筐体の外面の少なくとも一部に取り付け可能となっている前記装飾部材と、を備え、複数の種類の前記装飾部材から選択された前記装飾部材が前記筐体の外面の少なくとも一部に取り付けられていることを特徴とする。
【０００７】
このような有価媒体処理装置によれば、筐体の外面の少なくとも一部に取り付け可能となっている装飾部材を備えており、複数の種類の装飾部材のうち選択された一つまたは複数の装飾部材が筐体の外面の少なくとも一部に取り付けることができるようになる。このことにより、筐体の外面の色やデザインを容易に変更することができる。
【０００８】
この場合には、前記装飾部材は、前記筐体の前面または上面の少なくとも一方に取り付け可能となっていてもよい。
【０００９】
本発明の有価媒体処理装置においては、前記筐体に、前記装飾部材が着脱自在に取り付けられる被取付部が設けられていてもよい。
【００１０】
この場合には、前記装飾部材を前記被取付部にロックするロック部が設けられていてもよい。
【００１１】
本発明の有価媒体処理装置においては、前記筐体は、本体部分の第１筐体部分と、前記本体部分から引き出し可能となっており前記処理部が設けられている引出部の第２筐体部分とを含み、前記装飾部材は前記第２筐体部分に取り付け可能となっていてもよい。
【００１２】
本発明の有価媒体処理装置は、前記装飾部材において、前記筐体の外面に設けられた有価媒体の投入口および投出口のうち少なくとも一方に対応する位置に切り欠きまたは開口が設けられていてもよい。
【００１３】
本発明の有価媒体処理装置においては、前記装飾部材は、樹脂、金属、ゴムのうちいずれかの材料から構成されていてもよい。
【００１４】
本発明の有価媒体処理装置においては、前記装飾部材は、可撓性を有する材料から構成されていてもよい。
【００１５】
本発明の有価媒体処理装置においては、前記有価媒体処理装置は、紙幣の処理を行う紙幣処理ユニットおよび硬貨の処理を行う硬貨処理ユニットを有しており、前記装飾部材は前記紙幣処理ユニットの筐体および前記硬貨処理ユニットの筐体の各々に取り付け可能となっていてもよい。
【発明の効果】
【００１６】
本発明の有価媒体処理装置によれば、複数の種類の装飾部材から選択された一の装飾部材が筐体の外面の少なくとも一部に取り付けられるようになっているため、筐体の外面の色やデザインを容易に変更することができる。
【図面の簡単な説明】
【００１７】
【図１】本発明の実施の形態による有価媒体処理装置の構成を示す斜視図である。
【図２】図１に示す有価媒体処理装置を構成する硬貨処理装置の内部を上方から鉛直方向下方に向かって見たときの構成を示す上面図である。
【図３】図２に示す硬貨処理装置におけるリジェクト部および硬貨収納部の構成を示す側面図である。
【図４】図１に示す有価媒体処理装置を構成する紙幣処理装置の内部を上方から鉛直方向下方に向かって見たときの構成の概略を示す概略構成図である。
【図５】図１に示す有価媒体処理装置に装着される装飾部材の構成を示す斜視図である。
【図６】図５に示す装飾部材を有価媒体処理装置の筐体の外面に装着する方法を示す斜視図である。
【図７】図５に示す装飾部材を取り付けるための被取付部および装飾部材をロックするためのロック部を備えた有価媒体処理装置の例を示す斜視図である。
【図８】図５に示す装飾部材とは異なるデザインの装飾部材が取り付けられた有価媒体処理装置の他の例を示す斜視図である。
【図９】図５に示す装飾部材や図８に示す装飾部材とは更に異なるデザインの装飾部材が取り付けられた有価媒体処理装置の更に他の例を示す斜視図である。
【図１０】図１に示す有価媒体処理装置を構成する紙幣処理装置に設けられた載置部の構成を示す縦断面図である。
【図１１】図１０に示す載置部に穴あきカルトン（穴あき釣銭受け）を載置した状態を示す斜視図である。
【発明を実施するための形態】
【００１８】
以下、図面を参照して本発明の実施の形態について説明する。図１乃至図１１は、本実施の形態に係る有価媒体処理装置を示す図である。このうち、図１は、本発明の実施の形態による有価媒体処理装置の構成を示す斜視図であり、図２は、図１に示す有価媒体処理装置を構成する硬貨処理装置の内部を上方から鉛直方向下方に向かって見たときの構成を示す上面図であり、図３は、図２に示す硬貨処理装置におけるリジェクト部および硬貨収納部の構成を示す側面図であり、図４は、図１に示す有価媒体処理装置を構成する紙幣処理装置の内部を上方から鉛直方向下方に向かって見たときの構成の概略を示す概略構成図である。また、図５は、図１に示す有価媒体処理装置に装着される装飾部材の構成を示す斜視図であり、図６は、図５に示す装飾部材を有価媒体処理装置の筐体の外面に装着する方法を示す斜視図であり、図７は、図５に示す装飾部材を取り付けるための被取付部および装飾部材をロックするためのロック部を備えた有価媒体処理装置の例を示す斜視図である。また、図８は、図５に示す装飾部材とは異なるデザインの装飾部材が取り付けられた有価媒体処理装置の他の例を示す斜視図であり、図９は図５に示す装飾部材や図８に示す装飾部材とは更に異なるデザインの装飾部材が取り付けられた有価媒体処理装置の更に他の例を示す斜視図である。また、図１０は、有価媒体処理装置を構成する紙幣処理装置に設けられた載置部の構成を示す縦断面図であり、図１１は、図１０に示す載置部に穴あきカルトンを載置した状態を示す斜視図である。
【００１９】
図１に示す有価媒体処理装置１は、例えば、コンビニエンスストアやスーパーマーケット等の商業施設の店舗における顧客が商品の精算処理を行う精算所（具体的には、レジカウンター）に設置される釣銭機として用いられるものである。このような有価媒体処理装置１は、略直方体形状の外側筐体（第１筐体部分）１０と、外側筐体１０の奥行き方向に沿って手前側に引き出し可能となるよう設けられている硬貨処理装置１００と、外側筐体１０の奥行き方向に沿って手前側に引き出し可能となるよう設けられている紙幣処理装置２００と、硬貨処理装置１００および紙幣処理装置２００の前面側に着脱自在に取り付けられた装飾部材２０と、吟味台（硬貨や紙幣を硬貨処理装置１００や紙幣処理装置２００に投入する前に確認するための台）や作業スペースとして利用可能である載置部２２０を備えている。このような有価媒体処理装置の各構成要素の詳細について以下に説明する。
【００２０】
まず、硬貨処理装置１００および紙幣処理装置２００の各構成要素について説明する。図１に示す硬貨処理装置１００は、上述したように、例えば図示しないレール部材等により外側筐体１０の奥行き方向に沿って手前側に引き出し可能に設けられている。また、この硬貨処理装置１００は、有価媒体処理装置１の外側筐体１０の内部に収容された状態（図１はこの状態を示す）において、硬貨の入金処理を行う際に操作者によって硬貨が投入される硬貨受入部１１２と、硬貨の出金処理を行う際に硬貨が払い出される硬貨払出部１３２とが外部に露出するようになっている。図１に示すように、後述する装飾部材２０を硬貨処理装置１００の内側筐体１１０（後述）の前面に取り付けた状態においても、硬貨受入部１１２および硬貨払出部１３２が露出するようになっている。このことにより、硬貨処理装置１００を外側筐体１０の内部に収容し、装飾部材２０を内側筐体１１０の前面に取り付けた状態において、硬貨の入出金処理が行えるようになっている。以下、この硬貨処理装置１００の詳細について図２および図３を用いて説明する。
【００２１】
図２は、硬貨処理装置１００の内部を上方から鉛直方向下方に向かって見たときの構成を示す上面図である。図２に示すように、硬貨処理装置１００は、略直方体形状の内側筐体（第２筐体部分）１１０と、内側筐体１１０の内部で硬貨を金種毎に収納する複数の硬貨収納部１３０ａ〜１３０ｆと、上述した硬貨受入部１１２および硬貨払出部１３２とを備えている。ここで、複数の硬貨収納部１３０ａ〜１３０ｆは内側筐体１１０の幅方向（すなわち、図２の左右方向）に沿って並列に並ぶよう配置されており、各硬貨収納部１３０ａ〜１３０ｆにはそれぞれ５０円硬貨、５円硬貨、５００円硬貨、１００円硬貨、１０円硬貨および１円硬貨がこの順でそれぞれ収納されるようになっている。
【００２２】
硬貨受入部１１２は、硬貨投入口を介して受け入れた硬貨を１層１列状態で１枚ずつ内側筐体１１０内に取り込むようになっている。より詳細には、硬貨受入部１１２には、図２における左方向に移動する繰出ベルト１１４ａ等からなる繰出部１１４が設けられており、硬貨受入部１１２に受け入れられた硬貨を検知するとこの繰出部１１４が駆動されることにより当該繰出部１１４によって硬貨が内側筐体１１０の内部に１枚ずつ繰り出されるようになっている。また、図２に示すように、硬貨受入部１１２には、繰出部１１４により内側筐体１１０の内部に繰り出された硬貨を１層１列状態で搬送する入金搬送部１１６が接続されている。
【００２３】
入金搬送部１１６は、略水平方向に延びる搬送面を有しており、この搬送面上で硬貨は略水平方向の姿勢で搬送されるようになっている。また、入金搬送部１１６は、複数のプーリ１１６ｂにより張架された循環ベルト１１６ａを有しており、繰出部１１４により内側筐体１１０の内部に繰り出された硬貨は循環ベルト１１６ａとの間で働く摩擦力により内側筐体１１０の内部で搬送されるようになっている。具体的には、循環ベルト１１６ａは搬送面からわずかな大きさの隙間（具体的には、概ね硬貨１枚分の厚さと略同一の大きさの隙間）を隔てて搬送面の上方に配置されている。また、複数のプーリ１１６ｂのうちある一つのプーリ１１６ｂには駆動モータが接続されており、当該駆動モータによりプーリ１１６ｂが回転させられることにより循環ベルト１１６ａは図２における反時計回りの方向に循環移動するようになっている。また、循環ベルト１１６ａの下端部には搬送面上の硬貨を押動するためのピンが等間隔で複数設けられており、循環ベルト１１６ａが図２における反時計回りの方向に循環移動すると、搬送面上の硬貨がピンにより内側筐体１１０の奥行き方向に押動されるようになる。このようにして、繰出部１１４により内側筐体１１０の内部に繰り出された硬貨は内側筐体１１０の内部における右側の領域において搬送面上で略水平方向の姿勢で当該内側筐体１１０の奥行き方向に搬送されるようになる。
【００２４】
図２に示すように、入金搬送部１１６の途中には、硬貨の金種、真偽、正損、表裏、新旧、搬送状態等の識別を行う識別部１１８が設けられている。また、識別部１１８により正常な硬貨ではないと識別された硬貨や識別部１１８により識別することができなかった硬貨を入金搬送部１１６の搬送面から分岐させて後述するリジェクト口１２６により内側筐体１１０の外部に排出するリジェクト部１２４が設けられている。図３に示すように、リジェクト部１２４は、硬貨を立位状態で自重により送るリジェクトシュート１２４ａを有している。なお、図３において、入金搬送部１１６により搬送される硬貨やリジェクトシュート１２４ａによりリジェクト口１２６に送られる硬貨を参照符号Ｃで表示している。ここで、リジェクトシュート１２４ａは水平方向に対して斜め下方に傾斜しており、このリジェクトシュート１２４ａの下流側の端部には、内側筐体１１０の前面側に設けられたリジェクト口１２６が設けられている。リジェクト口１２６は内側筐体１１０の前面側からアクセス可能となっており、リジェクトシュート１２４ａからリジェクト口１２６に送られた硬貨を操作者は内側筐体１１０の前面側から当該内側筐体１１０の外部に取り出して硬貨受入部１１２に再投入等することができるようになる。また、リジェクト部１２４は、識別部１１８により正常な硬貨ではないと識別された硬貨や識別部１１８により識別することができなかった硬貨を入金搬送部１１６の搬送面から分岐させるためのゲート部材１２４ｂを有している。
【００２５】
入金搬送部１１６による硬貨の搬送方向におけるゲート部材１２４ｂの更に下流側には複数の金種別分岐部１２２が各硬貨収納部１３０ａ〜１３０ｅに対応して直列に並ぶよう設けられている。具体的には、識別部１１８により識別された硬貨の金種が５０円である場合には、図２における最も右側に位置する金種別分岐部１２２により入金搬送部１１６から当該５０円硬貨が分岐させられて硬貨収納部１３０ａに送られるようになる。同様に、識別部１１８により識別された硬貨の金種が５円である場合には、図２における右側から２番目に位置する金種別分岐部１２２により入金搬送部１１６から当該５円硬貨が分岐させられて硬貨収納部１３０ｂに送られるようになる。また、識別部１１８により識別された硬貨の金種が５００円である場合には、図２における右側から３番目に位置する金種別分岐部１２２により入金搬送部１１６から当該５００円硬貨が分岐させられて硬貨収納部１３０ｃに送られるようになる。また、識別部１１８により識別された硬貨の金種が１００円である場合には、図２における右側から４番目に位置する金種別分岐部１２２により入金搬送部１１６から当該１００円硬貨が分岐させられて硬貨収納部１３０ｄに送られるようになる。また、識別部１１８により識別された硬貨の金種が１０円である場合には、図２における右側から５番目に位置する金種別分岐部１２２により入金搬送部１１６から当該１０円硬貨が分岐させられて硬貨収納部１３０ｅに送られるようになる。また、識別部１１８により識別された硬貨の金種が１円である場合には、当該硬貨は各金種別分岐部１２２により入金搬送部１１６から分岐させられることなく当該入金搬送部１１６から直接硬貨収納部１３０ｆに送られるようになる。このようにして識別部１１８により識別された硬貨が各硬貨収納部１３０ａ〜１３０ｆに金種別に振り分けられてこれらの硬貨収納部１３０ａ〜１３０ｆに収納されるようになる。
【００２６】
図３に示すように、各硬貨収納部１３０ａ〜１３０ｆは、複数の硬貨が収容される硬貨収容空間１３１を有している。また、各硬貨収納部１３０ａ〜１３０ｆには、硬貨収容空間１３１に収容されている硬貨を当該硬貨収容空間１３１から１枚ずつ繰り出す繰出部１４０が設けられている。これらの各硬貨収納部１３０ａ〜１３０ｆや繰出部１４０の構成の詳細については後述する。繰出部１４０により各硬貨収納部１３０ａ〜１３０ｆの硬貨収容空間１３１から繰り出された硬貨は硬貨払出部１３２に送られ、この硬貨払出部１３２に集積されるようになっている。より詳細には、図２に示すように、６つの硬貨収納部１３０ａ〜１３０ｆのうち右から３つの硬貨収納部１３０ａ〜１３０ｃの手前側には、硬貨払出部１３２に向かって斜め下方にわずかに傾斜している硬貨案内溝１３４が形成されており、繰出部１４０により硬貨収納部１３０ａ〜１３０ｃの硬貨収容空間１３１から繰り出された硬貨はこの硬貨案内溝１３４に立位状態で入り、硬貨案内溝１３４において図２における左方向に硬貨が立位状態で転がりながら移動することにより硬貨払出部１３２に送られるようになる。一方、６つの硬貨収納部１３０ａ〜１３０ｆのうち左から３つの硬貨収納部１３０ｄ〜１３０ｆの硬貨収容空間１３１から繰出部１４０により繰り出された硬貨は硬貨払出部１３２に直接送られるようになる。上述のように、硬貨払出部１３２は内側筐体１１０の外部に露出しているため、操作者はこの硬貨払出部１３２に集積されている硬貨を手で掴んで内側筐体１１０の外部に取り出すことができるようになっている。
【００２７】
繰出部１４０は、硬貨収容空間１３１の底部に配置され、複数のプーリ１４４（図３では１つのプーリ１４４しか図示していないが、実際にはプーリ１４４は複数設けられている）により張架された繰出ベルト１４２と、複数のプーリ１４４のうちある一つのプーリ１４４に接続され、当該プーリ１４４を回転させる駆動モータ（図示せず）と、繰出ベルト１４２との間でわずかな隙間（具体的には、硬貨収納部１３０ａ〜１３０ｆに収納されるべき金種の硬貨の厚さよりもわずかに大きな隙間）を隔てて当該繰出ベルト１４２の上方に配置される逆転ローラ１４６とを有している。ここで、硬貨収容空間１３１に収容される硬貨は繰出ベルト１４２上に載置されるようになっている。また、繰出ベルト１４２は無端状の（言い換えると、環状の）平ベルトからなり、当該繰出ベルト１４２の幅の大きさは硬貨収容空間１３１の幅の大きさと略同一となっている。そして、駆動モータによりこの駆動モータに接続されるプーリ１４４が回転させられると繰出ベルト１４２は図３における時計回りの方向に循環移動し、この繰出ベルト１４２上に載置されている硬貨は略水平姿勢で図３における右方向に搬送され、逆転ローラ１４６と繰出ベルト１４２との間に形成される隙間を通って硬貨案内溝１３４または硬貨払出部１３２に送られるようになる。ここで、逆転ローラ１４６は繰出ベルト１４２による硬貨の繰出方向と逆方向（すなわち、図３における時計回りの方向）に回転するようになっている。このことにより、繰出ベルト１４２により繰り出される硬貨が逆転ローラ１４６と繰出ベルト１４２との間に形成される隙間を通る際に当該硬貨は１層１列状態に整列されるようになり、整列された硬貨が繰出ベルト１４２により硬貨案内溝１３４または硬貨払出部１３２に送られるようになる。
【００２８】
本実施の形態では、繰出部１１４、入金搬送部１１６、識別部１１８、金種別分岐部１２２、リジェクト部１２４、繰出部１４０等は、内側筐体１１０の内部で硬貨の処理を行う処理部として機能するようになっている。
【００２９】
次に、紙幣の入出金処理を行う紙幣処理装置２００の構成について具体的に説明する。図１に示す紙幣処理装置２００は、上述した硬貨処理装置１００と同様に、例えば図示しないレール部材等により外側筐体１０の奥行き方向に沿って手前側に引き出し可能に設けられている。また、この紙幣処理装置２００は、外側筐体１０の内部に収容された状態において、紙幣の入金処理を行う際に操作者によって紙幣が投入される紙幣受入口２１４ａと、紙幣の出金処理を行う際に紙幣が払い出される紙幣取出口２１６ａとが外部に露出するようになっている。図１に示すように、後述する装飾部材２０を紙幣処理装置２００の内側筐体２１０（後述）の前面に取り付けた状態においても、紙幣受入口２１４ａおよび紙幣取出口２１６ａが露出するようになっている。このことにより、紙幣処理装置２００を外側筐体１０の内部に収容し、装飾部材２０を内側筐体２１０に取り付けた状態において、紙幣の入出金処理が行えるようになっている。以下、この紙幣処理装置２００について、概略構成図である図４を用いて説明する。
【００３０】
図４に示すように、紙幣処理装置２００は略直方体形状の内側筐体（第２筐体部分）２１０を備えており、この内側筐体２１０の内部には、紙幣受入部２１４、各紙幣収納部２０６、紙幣払出部２１６、出金リジェクト部２０４および紙幣回収カセット２０７の各々と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の金種、真偽、正損、新旧、搬送状態等の識別を行うようになっている。
【００３１】
また、周回搬送部２０３ａと各接続搬送部２０３ｂとの間で紙幣の搬送経路を切り換える経路切換部（図示せず）が、周回搬送部２０３ａに沿って配置されている。
【００３２】
図４に示すように、内側筐体２１０の前面には、紙幣受入部２１４の紙幣受入口２１４ａと、紙幣払出部２１６の紙幣取出口２１６ａとがそれぞれ設けられている。また、紙幣回収カセット２０７は内側筐体２１０に対して着脱可能に設置されている。
【００３３】
紙幣受入部２１４は、投入された紙幣を検知すると駆動され、紙幣受入口２１４ａに挿入された入金紙幣を一括で取り込んで、接続搬送部２０３ｂを介して周回搬送部２０３ａ側へ１枚ずつ繰り出すようになっている。各紙幣収納部２０６は、紙幣識別部２０１の識別結果に基づいて紙幣を金種別に収納するとともに収納されている紙幣を接続搬送部２０３ｂを介して周回搬送部２０３ａ側へ１枚ずつ繰り出すようになっている。紙幣払出部２１６は、各紙幣収納部２０６から周回搬送部２０３ａに繰り出された紙幣を紙幣取出口２１６ａにより内側筐体２１０の外部へ放出するようになっている。
【００３４】
出金リジェクト部２０４は、紙幣の出金処理が行われる際に紙幣収納部２０６から繰り出された紙幣のうち、斜行等の搬送異常により紙幣識別部２０１で正常に識別することができない紙幣を出金リジェクト紙幣として収納するようになっている。また、紙幣受入部２１４から機体内に取り込まれた紙幣のうち、汚損等により紙幣識別部２０１で正常に識別することができない紙幣は入金リジェクト紙幣として紙幣払出部２１６に返却されるようになっている。
【００３５】
紙幣回収カセット２０７は内側筐体２１０の前面から引き出すことにより当該内側筐体２１０の外部に取り出すことができるようになっている。
【００３６】
本実施の形態では、紙幣識別部２０１、周回搬送部２０３ａ、接続搬送部２０３ｂ、紙幣収納部２０６、紙幣受入部２１４、紙幣払出部２１６等は、内側筐体２１０の内部で紙幣の処理を行う処理部として機能するようになっている。
【００３７】
上述のように硬貨処理装置１００および紙幣処理装置２００が有価媒体処理装置１の外側筐体１０の内側に収納されることにより、有価媒体処理装置１は硬貨および紙幣の入出金処理を行うことができるようになっている。また、有価媒体処理装置１にデザイン性や耐擦傷性等の機能性を付加するために、硬貨処理装置１００の内側筐体１１０および紙幣処理装置２００の内側筐体２１０の前面に装飾部材２０をそれぞれ着脱自在に取り付け可能となっている。より詳細には、複数の種類の装飾部材２０から選択されたある１つまたは複数の種類の装飾部材２０が硬貨処理装置１００の内側筐体１１０や紙幣処理装置２００の内側筐体２１０の前面に取り付けられるようになっている。このような装飾部材２０について図５乃至図９を用いて説明する。
【００３８】
なお、以下に記す本実施の形態の説明において、複数の種類の装飾部材２０の中から選択されたある１つの装飾部材２０を硬貨処理装置１００の内側筐体１１０や紙幣処理装置２００の内側筐体２１０の前面に着脱自在に取り付けた場合の構成について詳細に説明するが、硬貨処理装置１００の内側筐体１１０や紙幣処理装置２００の内側筐体２１０にそれぞれ複数個の装飾部材２０を取り付けることができるようになっていてもよい。
【００３９】
図５および図６に示す装飾部材２０は、可撓性を有するプラスチックフィルムを印刷成形（プラスチックフィルムに印刷処理を行った後に成形を行う手法）により成形したものである。本実施の形態の有価媒体処理装置１には、上述のように、２つの装飾部材２０が硬貨処理装置１００および紙幣処理装置２００にそれぞれ取り付けられるようになっている。このことにより、硬貨処理装置１００あるいは紙幣処理装置２００の片方を外側筐体１０の内部から引き出して作業する必要が生じた場合に、装飾部材２０を取り外すことなく作業を行うことができるようになる。
【００４０】
この装飾部材２０の材料は、上述したようなプラスチックフィルムに限定されることはなく、プラスチックとは異なる樹脂製のフィルム、ステンレス等の薄い金属板およびゴム板等の材料からも作製することが可能となっている。これらの材料から作製した場合にも、装飾部材２０を、可撓性を有する構成とすることができ、かつ、装飾部材２０を硬貨処理装置１００および紙幣処理装置２００に着脱自在に取り付けることができるようになる。
【００４１】
この装飾部材２０の幅方向（図６に示す外側筐体１０の幅方向）における両端近傍には、装飾部材２０を、硬貨処理装置１００および紙幣処理装置２００の前面側の両端部に取り付けるための取付部２１が設けられている。そして、図６にその取り付け方法を示すように、取付部２１により硬貨処理装置１００および紙幣処理装置２００の前面側の両端部を挟み込むことで装飾部材２０を着脱自在に取り付けるようになっている。また、この装飾部材２０を取り付ける対象は、上述の硬貨処理装置１００の内側筐体１１０および紙幣処理装置２００の内側筐体２１０の前面側に限定されることはない。装飾部材２０が、硬貨処理装置１００の内側筐体１１０や紙幣処理装置２００の内側筐体２１０の側面や上面に取り付けられるようになっていてもよい。
【００４２】
また、図６等に示すように、装飾部材２０には、硬貨処理装置１００や紙幣処理装置２００に取り付けられた際に、硬貨あるいは紙幣の投入口および投出口の位置に対応する位置に切り欠きや開口が設けられている。このことにより、硬貨処理装置１００および紙幣処理装置２００は、装飾部材２０を装着した状態においても、硬貨あるいは紙幣の入出金動作を妨げられることなく、入出金処理を行うことができるようになる。
【００４３】
また、硬貨処理装置１００および紙幣処理装置２００に装飾部材２０を取り付ける方法は、上述したように取付部２１によって硬貨処理装置１００または紙幣処理装置２００の前面側の両端部を挟み込む方法に限定されることはない。他の方法として、図７に示すように、例えば硬貨処理装置１００の内側筐体１１０および紙幣処理装置２００の内側筐体２１０に開口部等の被取付部２１８を設け、装飾部材２０にこの被取付部２１８に係合する突起部分等を設けることにより、装飾部材２０を着脱自在に取り付けることができるようになっていてもよい（この場合には、図示しないが、硬貨処理装置１００の内側筐体１１０にも同様の被取付部が設けられている）。さらに、この硬貨処理装置１００および紙幣処理装置２００に設けられる被取付部はネジ穴となっていてもよい。この場合においても、装飾部材２０において、硬貨処理装置１００や紙幣処理装置２００に設けられたネジ穴に対応する部分に穴等を設けることにより、ネジ等を用いて装飾部材２０を硬貨処理装置１００や紙幣処理装置２００に着脱自在に取り付けることができる。このように装飾部材２０を硬貨処理装置１００や紙幣処理装置２００に取り付けることにより、例えば操作者が入出金処理を行う際に誤って装飾部材２０に接触してしまった場合にも、当該装飾部材２０が硬貨処理装置１００や紙幣処理装置２００から外れてしまうことを防ぐことができる。
【００４４】
また、図７に示すように、硬貨処理装置１００および紙幣処理装置２００には、図示しない操作表示部により特定の操作を行わなければ装飾部材２０を取り外すことができないようなロック部２１９が設けられていてもよい（この場合には、図示しないが、硬貨処理装置１００にも同様のロック部が設けられている）。このことにより、例えば操作者が入出金処理を行う際に誤って装飾部材２０に接触してしまった場合にも、当該装飾部材２０はロック部２１９により固定されているため、硬貨処理装置１００および紙幣処理装置２００から装飾部材２０が外れてしまうことを防ぐことができる。さらに、この場合には、図示しない操作表示部により特定の操作を行わなければ装飾部材２０を取り外すことができないため、例えば、悪意ある操作者によって当該装飾部材２０が取り外されるのを防ぐことが可能となる。
【００４５】
また、上述のように、装飾部材２０が硬貨処理装置１００および紙幣処理装置２００に着脱自在に取り付け可能となっているため、図８および図９に示すような、図１に示す装飾部材２０とは異なったデザインの装飾部材２０を、硬貨処理装置１００および紙幣処理装置２００に取り付けることができるようになっている。また、装飾部材２０がプラスチックフィルムの印刷成形によって形成されている場合には、図８および図９に示すようなデザインだけでなく、色、柄や模様等を自由に変更できるようになっている。このことにより、導入先の市場や店舗空間に合わせたデザインの装飾部材２０が取り付けられた有価媒体処理装置１を提供することが可能であるため、顧客の満足度をより高めることができる。
【００４６】
また、印刷形成されたプラスチックフィルムには、例えば耐擦傷性、防水性、防汚性という機能的な性質を付加することが可能である。このため、装飾部材２０は、上述のデザイン性による付加価値のみでなく、耐擦傷性、防水性、防汚性という様々な機能的性質によっても付加価値を備えることが可能となっている。このことにより、装飾部材２０は、デザイン性および機能性という複合的な付加価値を実現することができるようになっている。
【００４７】
また、装飾部材２０が上述のようにデザイン性や機能性を備えることができるとともに、装飾部材２０を作製する際の自由度が高いため、例えば、デザイン性または機能性あるいはその両方を追求した、比較的高価格である装飾部材２０の提供が可能である一方で、実用に十分なレベルの機能を備えた、比較的低価格である装飾部材２０を提供する事もできるようになっている。このように、様々なモデルの装飾部材２０を作製し、これらの中から選択された装飾部材２０を硬貨処理装置１００および紙幣処理装置２００に取り付けることができるため、顧客により多くの選択肢を提供する事ができるようになっている。
【００４８】
次に、紙幣処理装置２００の上部に設けられた載置部２２０について図１０および図１１を用いて説明する。図１０にその縦断面図を示すように、載置部２２０は平らな底部２２１を備えており、側方から見て、その端部２２２が底部２２１の中央よりも高い位置にある、窪んだ形状となっている。より詳細には、この窪んだ形状は、端部２２２よりも低い位置にある平らな底部２２１の端と、端部２２２の端とが滑らかな曲線でつながるように形成されており、載置部２２０の内面はエッジを持たない滑らかな形状となっている。このことにより、載置部２２０に載置した包装硬貨や収納印、ボールペン等を取り扱いやすくすることができるようになっている。さらに、端部２２２が隆起していることにより、載置部２２０の上に載置した包装硬貨やボールペン等が転がって落ちることを防止することができるようになっている。
【００４９】
さらに、載置部２２０の断面形状は、有価媒体処理装置１に付属する部材であり、通常時はレジカウンター上に載置されている、図１１に示す穴あきカルトン２３０（「穴あき釣銭受け」とも呼ばれる。）や硬貨収納トレイ等の、硬貨や紙幣等の有価媒体を取り扱うための部材の断面形状に略一致するようになっていてもよい。この場合には、平らな面に穴あきカルトン２３０を載置する場合や、形状の合わない断面形状を備えた載置部２２０に穴あきカルトン２３０を載置する場合と比較して、より安定した状態で硬貨や紙幣を取り扱うことができる。さらに、端部２２２が隆起していることにより、上述したボールペンや包装硬貨等と同様に、穴あきカルトン２３０の落下等を防止することができるようになっている。
【００５０】
より詳細には、上述の穴あきカルトン２３０は、図１１に示すように、平らな底部を備えており、この平らな底部に、取り扱う硬貨の直径よりも小さな直径を備えた貫通孔が複数設けられている釣銭受けである。このような複数の貫通孔が設けられていることにより、例えば硬貨処理装置１００に投入する硬貨あるいは紙幣処理装置２００に投入する紙幣に、小さなゴミ等の、硬貨処理装置１００および紙幣処理装置２００に故障等の悪影響を与えるものを予め取り除いたうえで、硬貨や紙幣を投入することが可能となる。このことにより、予期せぬ故障等を防止することが可能となり、有価媒体処理装置１のオペレーション効率を向上させることができる。
【００５１】
また、このような載置部２２０を紙幣処理装置２００の上部に設けることにより、従来のＰＯＳ端末に必要であった、吟味台（硬貨や紙幣を硬貨処理装置１００や紙幣処理装置２００に投入する前に確認するための台）の設置を省略することが可能となり、本発明の有価媒体処理装置１を導入した店舗においては、より広いレジ周りのスペースを確保することができるようになる。さらに、吟味台として用いることが可能な載置部２２０が紙幣処理装置２００の上部に設けられているため、載置部２２０は、従来のＰＯＳ端末に設けられている吟味台よりも、作業者に近い場所に位置するようになっている。このことにより、硬貨や紙幣のみでなく、収納印やボールペン等も作業者にとって取り扱いやすい構成となっており、オペレーション効率を総合的に向上させることが可能となっている。
【００５２】
なお、本実施の形態による有価媒体処理装置は、上述したような態様に限定されることはなく、様々な変更を加えることができる。
【００５３】
例えば、有価媒体処理装置１の外側筐体１０に収容可能となるように設けられる、硬貨や紙幣の処理を行うための処理部を備えた貨幣処理装置として、硬貨処理装置１００または紙幣処理装置２００のいずれか一方のみが単体で用いられるようになっていてもよい。この場合にも、装飾部材２０を用いることによって硬貨処理装置１００または紙幣処理装置２００の色やデザインを容易に変更することができるとともに、その内部に収容される硬貨処理装置１００または紙幣処理装置２００が耐擦傷性等の機能性を備えた有価媒体処理装置１を提供する事ができる。
【００５４】
また、複数の種類の装飾部材２０から選択された一つまたは複数の装飾部材２０は、有価媒体処理装置１の外側筐体１０に取り付け可能となっていてもよい。この場合には、外側筐体１０の外面についても色やデザインを容易に変更することができるとともに、外側筐体１０の外面が耐擦傷性等の機能性を備えた有価媒体処理装置１を提供する事ができる。
【００５５】
また、載置部２２０に載置した穴あきカルトン２３０を用いて、有価媒体処理装置１に投入されるべき貨幣に混在するゴミ等を取り除く代わりに、載置部２２０の底面に、取り扱う最小の硬貨の直径よりも小さな窪みを複数設けてもよい。この場合にも、投入前の貨幣に混在している小さなゴミ等を取り除いてから貨幣を有価媒体処理装置１に投入することが可能となるため、ゴミ等が混入することによる装置の不具合を防ぐことができるようになる。
【００５６】
また、載置部２２０の外面に、取っ手や、作業者が指を引っ掛けるための窪み等を設けることにより、紙幣処理装置２００を、有価媒体処理装置１の外側筐体１０から容易に引き出せるようになっていてもよい。この場合には、メンテナンス時やエラー時の対処等、紙幣処理装置２００の内部へアクセスする必要が生じた際に、より迅速な対応が可能となる。同様の取っ手や窪み等は、硬貨処理装置１００に設けられていてもよい。
【００５７】
また、装飾部材２０の適用対象は、硬貨処理装置１００および紙幣処理装置２００に限定されることはない。出納機、両替機等の他の種類の有価媒体処理装置に対しても適用可能である。また、本発明に係る有価媒体処理装置として、硬貨や紙幣等の貨幣以外の有価媒体（例えば、小切手や商品券）の処理を行うものが用いられてもよい。このことにより、装飾部材２０により硬貨処理装置１００および紙幣処理装置２００に付加することのできるデザイン性や機能性を、出納機、両替機等の他の種類の有価媒体処理装置に対しても付加することができるようになる。
【符号の説明】
【００５８】
１        有価媒体処理装置
１０      外側筐体（第１筐体部分）
２０      装飾部材
２１      取付部
１００    硬貨処理装置
１１０    内側筐体（第２筐体部分）
１１２    硬貨受入部
１１４    繰出部
１１４ａ  繰出ベルト
１１６    入金搬送部
１１６ａ  循環ベルト
１１６ｂ  プーリ
１１８    識別部
１２２    金種別分岐部
１２４    リジェクト部
１２４ａ  リジェクトシュート
１２４ｂ  ゲート部材
１２６    リジェクト口
１３０ａ〜１３０ｆ  硬貨収納部
１３１    硬貨収容空間
１３２    硬貨払出部
１３４    硬貨案内溝
１４０    繰出部
１４２    繰出ベルト
１４４    プーリ
１４６    逆転ローラ
２００    紙幣処理装置
２０１    紙幣識別部
２０３ａ  周回搬送部
２０３ｂ  接続搬送部
２０４    出金リジェクト部
２０６    紙幣収納部
２０７    紙幣回収カセット
２１０    内側筐体（第２筐体部分）
２１４    紙幣受入部
２１４ａ  紙幣受入口
２１６    紙幣払出部
２１６ａ  紙幣取出口
２１８    被取付部
２１９    ロック部
２２０    載置部
２２１    底部
２２２    端部
２３０    穴あきカルトン
【図１】
2018010358.tif 000003
【図２】
2018010358.tif 000004
【図３】
2018010358.tif 000005
【図４】
2018010358.tif 000006
【図５】
2018010358.tif 000007
【図６】
2018010358.tif 000008
【図７】
2018010358.tif 000009
【図８】
2018010358.tif 000010
【図９】
2018010358.tif 000011
【図１０】
2018010358.tif 000012
【図１１】
2018010358.tif 000013